(57)【要約】【課題】  梱包箱の部品点数を削減すること。【解決手段】  略直方体の箱体３と、該箱体３の内部に存在し、収納対象の水栓本体Ｗ１及びその付属品Ｗ２を箱体３の内部で保持する保持部５とを備えた梱包箱１では、その底部７が第１〜第４側壁部Ｓ１〜Ｓ４の各下辺Ｌ１〜Ｌ４に連接された第１〜第４下フラップによって形成される。そして、第１〜第４下フラップのうち、向かい合う第１，第３下フラップＦｕ１，Ｆｕ３の各々は、底部７の一部となる底部形成部と、箱体３の内部に入り込んで保持部５の一部となる保持部形成部１５，２３とによって形成されている。このため、保持部５が第１，第３下フラップＦｕ１，Ｆｕ３の一部である保持部形成部１５，２３からなることとなり、部品点数を削減することができる。【選択図】  図２
2005263289.tif 000002
【特許請求の範囲】
【請求項１】
第１〜第４側壁部及び底部を有した略直方体の箱体と、
該箱体の内部に存在し、収納対象の商品を前記箱体の内部で保持する保持手段と、
を備えた梱包箱であって、
前記第１〜第４側壁部のうち、向かい合う位置関係にある第１，第３側壁部の各下辺には、該各下辺に連なり前記底部の一部となる底部形成部と、該底部形成部から更に先側に延びて前記保持手段の一部となる保持手段形成部と、からなる第１，第３フラップがそれぞれ連接され、
前記第１〜第４側壁部のうち、他の向かい合う位置関係にある第２，第４側壁部の各下辺には、前記底部の一部となる第２，第４フラップがそれぞれ連接されており、
前記第１〜第４フラップが、前記第１〜第４側壁部の各下辺で前記箱体の中側方向へ折り曲げられると共に、前記保持手段形成部の各々が、それに連接される前記底部形成部との境界線で折り曲げられて前記箱体の内部に入り込むことで、前記底部が構成され、
前記箱体の内部に入り込んだ前記第１，第３フラップの前記保持手段形成部が、前記保持手段となること、
を特徴とする梱包箱。
【請求項２】
請求項１に記載の梱包箱において、
前記商品は複数の部品からなっており、
前記複数の部品を、前記保持手段と共に前記箱体の内部で支持する板状の支持部材を備え、
該支持部材は、前記箱体の前記底部側とは反対側の開口から入り込むようになっていること、
を特徴とする梱包箱。
【請求項３】
請求項１又は請求項２に記載の梱包箱において、
前記商品は、水栓本体及びそれの付属品からなる水栓セットであること、
を特徴とする梱包箱。
【請求項４】
請求項２に記載の梱包箱において、
前記商品は、水栓本体及びそれの付属品からなる水栓セットであり、
少なくとも前記水栓本体は、前記保持手段に保持されるようになっていること、
を特徴とする梱包箱。
【請求項５】
請求項１ないし請求項４の何れか１項に記載の梱包箱において、
前記第２，第４フラップの各々には、前記保持手段形成部が前記箱体の内部に入り込むための切り欠きが形成され、
前記保持手段形成部の各々には、それに連接される前記底部形成部との前記境界線から所定の距離だけ離れた位置に、折り曲げ線が形成されており、
前記底部は、
前記第２，第４フラップが、前記第２，第４側壁部の各下辺で前記箱体の中側方向へ折り曲げられてから、前記第１，第３フラップが、前記第１，第３側壁部の各下辺で前記箱体の中側方向へ折り曲げられると共に、前記保持手段形成部が前記切り欠きから前記箱体の内部に入り込むことで構成され、
前記箱体の内部に入り込んだ前記保持手段形成部が、前記折り曲げ線で当該保持手段形成部に連接される前記底部形成部側へ折り曲げられることで、前記保持手段となること、
を特徴とする梱包箱。
【請求項６】
請求項５に記載の梱包箱において、
前記切り欠きは、前記第２，第４フラップの各々に一つずつ形成されていると共に、
前記第２フラップの切り欠きと前記第４フラップの切り欠きとは、前記第２，第４フラップが前記第２，第４側壁部の各下辺で前記箱体の中側方向へ折り曲げられた際に、一直線上に並んで連続するようになっており、
更に、前記連続した状態の前記第２，第４フラップの切り欠きに、前記第１フラップの保持手段形成部と前記第３フラップの保持手段形成部とが重なるようにして入り込むようになっていると共に、
前記切り欠きから前記箱体の内部に入り込んで前記折り曲げ線により折り曲げられた前記保持手段形成部の先端は、当該保持手段形成部に連接される前記底部形成部にて、該底部形成部に連なった前記側壁部の下辺付近まで延びており、
前記保持手段形成部からなる前記保持手段は、前記商品を載置して保持するようになっていること、
を特徴とする梱包箱。
【請求項７】
請求項６に記載の梱包箱において、
前記折り曲げ線は、前記保持手段形成部の各々に一本ずつ形成されていること、
を特徴とする梱包箱。
【請求項８】
請求項１ないし請求項７の何れか１項に記載の梱包箱において、
材質が段ボール紙であることを特徴とする梱包箱。
【発明の詳細な説明】
【技術分野】
【０００１】
本発明は、商品を収納する梱包箱に関するものである。
【背景技術】
【０００２】
従来より、商品を収納する梱包箱として、直方体の箱本体と、その箱本体の内部に入れられて収納対象の商品を該箱本体内で保持する保持板と、からなるものがある。そして、この梱包箱では、保持板に収納対象の商品を保持するための切り欠きが予め形成されており、その保持板を所定の形状に折り曲げて箱本体の内部に入れてから、該保持板の上記切り欠きに商品を収めることで、その商品を保持しつつ収納するようになっている（例えば、特許文献１参照）。
【特許文献１】実開平２−１４８９２０号公報
【発明の開示】
【発明が解決しようとする課題】
【０００３】
ところで、上述した梱包箱では、保持板が箱本体とは別体となっているため、部品点数が多くなってしまうという問題があった。
本発明は、上記問題を解決するためになされたものであり、梱包箱の部品点数を削減することを目的としている。
【課題を解決するための手段】
【０００４】
上記目的を達成するためになされた請求項１に記載の梱包箱は、第１〜第４側壁部及び底部を有した略直方体の箱体と、該箱体の内部に存在し、収納対象の商品を箱体の内部で保持する保持手段とを備えている。
【０００５】
そして、第１〜第４側壁部のうち、向かい合う位置関係にある第１，第３側壁部の各下辺には、該各下辺に連なり底部の一部となる底部形成部と、該底部形成部から更に先側に延びて上記保持手段の一部となる保持手段形成部と、からなる第１，第３フラップがそれぞれ連接されている。
【０００６】
また、第１〜第４側壁部のうち、他の向かい合う位置関係にある第２，第４側壁部の各下辺には、底部の一部となる第２，第４フラップがそれぞれ連接されている。
そして、第１〜第４フラップが、第１〜第４側壁部の各下辺で箱体の中側方向へ折り曲げられると共に、保持手段形成部の各々が、それに連接される底部形成部との境界線で折り曲げられて箱体の内部に入り込むことで、底部が構成されるようになっている。
【０００７】
そして特に、請求項１の梱包箱では、箱体の内部に入り込んだ第１，第３フラップの保持手段形成部が、保持手段となる。このため、本梱包箱では、保持手段と底部とが一体になっていることとなる。
【０００８】
以上のような請求項１の梱包箱によれば、保持手段は、第１，第３フラップの一部である保持手段形成部からなっているため、部品点数を削減することができる。
ところで、収納対象の商品が複数の部品からなる場合には、全ての部品を上記保持手段だけでは保持しきれない場合がある。
【０００９】
この場合、請求項２に記載の如く、複数の部品を保持手段と共に箱体の内部で支持する板状の支持部材を備えるようにして、その支持部材を箱体の底部側とは反対側の開口から入り込ませることができるように構成すれば良い。
【００１０】
また、請求項１又は請求項２の梱包箱において、梱包箱に収納される商品は何でも良く、例えば請求項３に記載のように、水栓本体及びそれの付属品からなる水栓セットであっても良い。
【００１１】
そして、このような水栓セットを支持部材と保持手段との両方で分担して収納する場合には、請求項４に記載の梱包箱の如く、少なくとも水栓本体は、保持手段に保持されるようになっていることが好ましい。即ち、水栓セットのうち、水栓本体の重量が最も大きいと考えられるため、その水栓本体を底部側に収納した方が良いからである。
【００１２】
次に、請求項５に記載の梱包箱では、請求項１〜請求項４の梱包箱において、第２，第４フラップの各々に、保持手段形成部が箱体の内部に入り込むための切り欠きが形成されている。また、保持手段形成部の各々には、それに連接される底部形成部との境界線から所定の距離だけ離れた位置に、折り曲げ線が形成されている。
【００１３】
そして、第２，第４フラップが、第２，第４側壁部の各下辺で箱体の中側方向へ折り曲げられてから、第１，第３フラップが、第１，第３側壁部の各下辺で箱体の中側方向へ折り曲げられると共に、保持手段形成部が切り欠きから箱体の内部に入り込むことで、底部が構成されるようになっている。
【００１４】
そして更に、請求項５の梱包箱では、箱体の内部に入り込んだ保持手段形成部が、折り曲げ線で当該保持手段形成部に連接される底部形成部側へ折り曲げられることで、保持手段となっている。
【００１５】
このような請求項５の梱包箱によれば、保持手段形成部を切り欠きから箱体の内部に入れ込むだけで簡単に底部を作成することができる。このため、底部を作成する際に、粘着テープやホッチキス等の接着部材を用いなくても良い。
【００１６】
しかも、切り欠きから箱体の内部に入り込んだ保持手段形成部は、折り曲げ線で折り曲げられるようになっているので、切り欠きから保持手段形成部が簡単に抜けてしまうことはない。つまり、箱体の内部に入り込んだ保持手段形成部が切り欠きから抜けてしまいそう（即ち、保持手段形成部が箱体の外側に飛び出してしまいそう）になったとしても、その際には、保持手段形成部にて折り曲げ線で折り曲げられた部分が、第２，第４フラップに引っ掛かるからである。
【００１７】
次に、請求項６に記載の梱包箱は、請求項５の梱包箱において、切り欠きは、第２，第４フラップの各々に一つずつ形成されている。そして、第２フラップの切り欠きと第４フラップの切り欠きとは、第２，第４フラップが第２，第４側壁部の各下辺で箱体の中側方向へ折り曲げられた際に、一直線上に並んで連続するようになっている。
【００１８】
更に、連続した状態の第２，第４フラップの切り欠きに、第１フラップの保持手段形成部と第３フラップの保持手段形成部とが重なるようにして入り込むようになっていると共に、切り欠きから箱体の内部に入り込んで折り曲げ線により折り曲げられた保持手段形成部の先端は、当該保持手段形成部に連接される底部形成部にて、該底部形成部に連なった側壁部の下辺付近まで延びている。
【００１９】
そして更に、保持手段形成部からなる保持手段は、商品を載置して保持するようになっている。
このような請求項６の梱包箱によれば、保持手段が保持する商品の重量を、保持手段形成部の先端によって底部の端（即ち、底部にて第１，第３側壁部の下辺付近側）の方に分散させることができる。よって、商品の重量が底部の中央に集中してしまうことを抑制することができ、より重量の大きい商品を収納することができる。
【００２０】
また、請求項６の梱包箱において、請求項７に記載の如く、保持手段形成部の各々に上記折り曲げ線が一本ずつ形成されていれば、保持手段となった各保持手段形成部の形状は、第２，第４側壁部側から見ると三角形となる。そして、保持手段に商品を載置して保持させた場合、保持手段では、その商品の重量によって、各保持手段形成部同士が互いに支え合うと共に各保持手段形成部の先端が第１，第３側壁部に当接することとなる。
【００２１】
このため、商品を収納した当該梱包箱を輸送する際に生じる保持手段の横揺れを少なくすることができ、保持された商品の安定性を良くすることができる。
ところで、請求項１〜請求項７の梱包箱において、請求項８に記載の如く、材質が段ボール紙であれば、重量を軽くすることができると共に、充分な強度を確保することができる。また、梱包箱自体を安価に製造しやすいという利点もある。
【発明を実施するための最良の形態】
【００２２】
以下に、本発明が適用された実施形態の梱包箱について、図面を用いて説明する。尚、本実施形態の梱包箱は、商品を当該箱の内部で保持しつつ収納するものである。また、本実施形態では、収納対象の商品として、水道の流量を調節する湯水混合水栓本体と、水道の水を外部に出す吐水口部、及び、該吐水口部に設けられたセンサに障害物が近づいてきたことを検知すると該吐水口部へ水を供給する制御を行う吐水制御装置等の湯水混合水栓本体の付属品と、からなる湯水混合水栓セットを収納するようになっている。
【００２３】
まず、図１は、湯水混合水栓セットＷ１〜Ｗ６を収納した状態における本梱包箱１の斜視図であり、図２は、保持部５が湯水混合水栓本体Ｗ１（以下、水栓本体Ｗ１という）及び水栓本体Ｗ１の付属品である吐水制御装置Ｗ２を本梱包箱１の内部で保持している状態を表す説明図である。また、図３は、後述する支持部材９を除いた本梱包箱１の展開状態における平面図であり、図４は、支持部材９の展開状態における平面図である。
【００２４】
梱包箱１は、段ボール紙からなり、図１及び図２に示すように、略直方体の箱体３と、箱体３の内部に存在し、水栓本体Ｗ１及び吐水制御装置Ｗ２を箱体３の内部で保持する保持部５（図２参照）と、箱体３の内部にて保持部５よりも箱体３の底部７側とは反対の開口側に存在し、湯水混合水栓セットＷ１〜Ｗ６を箱体３の内部で支持する支持部材９（図１参照）と、を備えている。
【００２５】
また、梱包箱１は、予め図３及び図４に示すような形状に裁断された２枚のシート材を組み立てることで構成されるようになっている。尚、以下の説明において、上下左右縦横等、方向に関する表現は、図３及び図４における方向である。そして、破線で示す箇所は、折り曲げやすいように折目やミシン目が形成されている。
【００２６】
図３及び図４に示すように、裁断された梱包箱１は、本体側シート材Ａと支持部材９とによって形成されている。そして、本体側シート材Ａは、長方形の第１〜第４側壁部Ｓ１〜Ｓ４と、第１〜第４側壁部Ｓ１〜Ｓ４の各下辺（以下、辺ともいう）Ｌ１〜Ｌ４に連接されている第１〜第４下フラップＦｕ１〜Ｆｕ４と、第１〜第４側壁部Ｓ１〜Ｓ４の各上辺（以下、辺ともいう）Ｌ５〜Ｌ８に連接されている第１〜第４上フラップＦｏ１〜Ｆｏ４と、からなっている。
【００２７】
つまり、本体側シート材Ａによって箱体３及び保持部５が形成されるようになっている。具体的には、第１〜第４下フラップＦｕ１〜Ｆｕ４によって底部７と保持部５とが形成され、第１〜第４側壁部Ｓ１〜Ｓ４によって箱体３の側壁が形成され、第１〜第４上フラップＦｏ１〜Ｆｏ４によって上蓋部が形成されるようになっている。
【００２８】
次に、本体側シート材Ａについて説明する。
まず、第１〜第４側壁部Ｓ１〜Ｓ４は、それらの下辺Ｌ１〜Ｌ４又は上辺Ｌ５〜Ｌ８が一直線上に並んだ状態となる図３の展開状態において、左側から、Ｓ１→Ｓ２→Ｓ３→Ｓ４の順に形成されている。尚、第１側壁部Ｓ１の第２側壁部Ｓ２側とは反対側の辺には、第１側壁部Ｓ１と第４側壁部Ｓ４とを接合し、側壁を形成するための接合代１１が連接されている。
【００２９】
そして、第１側壁部Ｓ１では、互いに平行な辺Ｌ１，Ｌ５の長さよりも、その辺Ｌ１，Ｌ５に垂直な一対の辺の長さの方が短くなっている。
そして更に、第３側壁部Ｓ３は、第１側壁部Ｓ１と合同である。
【００３０】
また、第２側壁部Ｓ２も、互いに平行な辺Ｌ２，Ｌ６の長さよりも、その辺Ｌ２，Ｌ６に垂直な一対の辺の長さの方が短くなっている。
そして、第４側壁部Ｓ４は、第２側壁部Ｓ２と合同である。
【００３１】
更に、第１〜第４側壁部Ｓ１〜Ｓ４にて、下辺Ｌ１〜Ｌ４及び上辺Ｌ５〜Ｌ８に垂直な辺の長さは、全ての側壁部Ｓ１〜Ｓ４で等しくなっている。
次に、第１〜第４下フラップＦｕ１〜Ｆｕ４について説明する。
【００３２】
第１下フラップＦｕ１は、第１側壁部Ｓ１の下辺Ｌ１に連なり底部７の一部となる略長方形の底部形成部１３と、底部形成部１３から更に先側（即ち、第１側壁部Ｓ１側とは反対側）に延びて保持部５の一部となる板状の保持部形成部１５とから形成されている。
【００３３】
そして、底部形成部１３は、第１側壁部Ｓ１の下辺Ｌ１と、その辺Ｌ１に平行な辺Ｌ９と、それら２つの辺Ｌ１，Ｌ９に垂直で且つそれらよりも短い一対の辺と、から形成されている。
【００３４】
また、保持部形成部１５にて、底部形成部１３との境界線である辺Ｌ９に対向する辺（即ち、辺Ｌ９よりも上記先側にある辺）Ｌ１０は、辺Ｌ９に対して平行になっている。そして、保持部形成部１５における辺Ｌ９の長手方向（図３における横方向）の幅は、底部形成部１３における辺Ｌ９の長手方向の幅よりも狭くなっている。
【００３５】
そして、保持部形成部１５には、辺Ｌ９から距離Ｄ１だけ離れた位置に、辺Ｌ９に平行な折り曲げ線Ｔ１が形成されている。
更に、保持部形成部１５には、水栓本体Ｗ１の２つに分かれた脚部分が入り込むための切り欠き穴Ｃ１，Ｃ２が折り曲げ線Ｔ１上に２つ並んで形成されている。そして更に、その２つの切り欠き穴Ｃ１，Ｃ２よりも第２側壁部Ｓ２側とは反対側には、辺Ｌ９から辺Ｌ１０側へ向かって互いに交わらないように２本の切目Ｌ１１，Ｌ１２が形成されており、その２本の切目Ｌ１１，Ｌ１２に挟まれた部分に吐水制御装置Ｗ２が入り込むようになっている。
【００３６】
また、２本の切目Ｌ１１，Ｌ１２に挟まれた部分にて、本来折り曲げ線Ｔ１が通るはずの位置を含む略長方形の部分には、折り曲げ線Ｔ１を分断するように切り欠き穴Ｃ３が形成されている。
【００３７】
そして、２本の切目Ｌ１１，Ｌ１２に挟まれた部分にて、切り欠き穴Ｃ３と底部形成部１３とに挟まれた第１部分１７の辺Ｌ９付近には、それに平行な折目Ｌ１３が形成されている。
【００３８】
一方、２本の切目Ｌ１１，Ｌ１２に挟まれた部分にて、切り欠き穴Ｃ３と、切目Ｌ１１，Ｌ１２の辺Ｌ１０側の端同士を結んだ折目Ｌ１４との間の第２部分１９には、辺Ｌ９に平行な折目Ｌ１５が形成されている。更に、保持部形成部１５の折目Ｌ１４上には、その折目Ｌ１４を分断するように、吐水制御装置Ｗ２が入り込むための切り欠き穴Ｃ４が形成されている。尚、折目Ｌ１４は、辺Ｌ９に対して平行となっている。
【００３９】
また、第３下フラップＦｕ３も、第１下フラップＦｕ１と同様に、第３側壁部Ｓ３の下辺Ｌ３に連接し底部７の一部となる略長方形の底部形成部２１と、底部形成部２１にて辺Ｌ３に平行な辺Ｌ１６から更に先側に延びて保持部５の一部となる板状の保持部形成部２３とから形成されているが、第１下フラップＦｕ１と比較すると、下記の（１）〜（４）の点が異なっている。
【００４０】
（１）第３下フラップＦｕ３の底部形成部２１にて、互いに平行な辺Ｌ３，Ｌ１６に垂直な一対の辺の長さは、第１下フラップＦｕ１の底部形成部１３にて、互いに平行な辺Ｌ１，Ｌ９に垂直な一対の辺の長さよりも短くなっている。
【００４１】
（２）また、第３下フラップＦｕ３の保持部形成部２３には、第１下フラップＦｕ１の保持部形成部１５と同様、辺Ｌ１６から上記距離Ｄ１と同じ距離だけ離れた位置に、辺Ｌ１６に平行な折り曲げ線Ｔ２が形成されているが、保持部形成部２３にて辺Ｌ１６に平行な辺Ｌ１７と折り曲げ線Ｔ２との間の長さは、第１下フラップＦｕ１の辺Ｌ１０と折り曲げ線Ｔ１との間の長さよりも短くなっている。
【００４２】
（３）そして、第３下フラップＦｕ３の保持部形成部２３では、水栓本体Ｗ１の２つの脚部分が入り込むための切り欠き穴Ｃ５，Ｃ６と、吐水制御装置Ｗ２が入り込むための２本の切目Ｌ１８，Ｌ１９に挟まれた部分との並び方向が、第１下フラップＦｕ１の保持部形成部１５とは逆になっている。即ち、切り欠き穴Ｃ５，Ｃ６及び切目Ｌ１８，Ｌ１９は、保持部形成部２３にて第２側壁部Ｓ２側から、Ｃ５→Ｃ６→Ｌ１８→Ｌ１９の順に形成されている。
【００４３】
（４）そして、保持部形成部２３には、２つの切り欠き穴Ｃ５，Ｃ６のうち、一方の切り欠き穴Ｃ５よりも辺Ｌ１７側にも、水栓本体Ｗ１の２つの脚部分が入り込むための切り欠き穴Ｃ７が形成されていると共に、その切り欠き穴Ｃ５，Ｃ７同士を結んだ切目Ｌ２０が形成されている。また、２つの切り欠き穴Ｃ５，Ｃ６のうち、他方の切り欠き穴Ｃ６より辺Ｌ１７側にも、切り欠き穴Ｃ７と同様の切り欠き穴Ｃ８が形成されていると共に、その切り欠き穴Ｃ６，Ｃ８同士を結んだ切目Ｌ２１も形成されている。
【００４４】
また、第３下フラップＦｕ３の切目Ｌ１８，Ｌ１９と第１下フラップＦｕ１の切目Ｌ１１，Ｌ１２、または、第３下フラップＦｕ３の切り欠き穴Ｃ５，Ｃ６と第１下フラップＦｕ１の切り欠き穴Ｃ１，Ｃ２は、本梱包箱１を組み立てた際に、箱体３の内部で連続するようになっている。
【００４５】
尚、第３下フラップＦｕ３の切目Ｌ１８，Ｌ１９に挟まれた部分にも、第１下フラップＦｕ１と同様の、第１部分２４及び第２部分２５と吐水制御装置Ｗ２が入り込むための切り欠き穴Ｃ９が形成されている。
【００４６】
一方、第２下フラップＦｕ２は、第２側壁部Ｓ２の下辺Ｌ２と、その辺Ｌ２に平行な辺Ｌ２２と、それら２つの辺Ｌ２，Ｌ２２に垂直で且つそれらよりも短い一対の辺と、からなる略長方形に形成されている。そして更に、第２下フラップＦｕ２には、辺Ｌ２２のほぼ中央部分から辺Ｌ２付近にかけて第１，第３下フラップＦｕ１，Ｆｕ３の保持部形成部１５，２３が重なるようにして箱体３の内部に入り込むための切り欠きＣ１０が形成されている。
【００４７】
そして、第４下フラップＦｕ４も、略長方形であり、第２下フラップＦｕ２と同様の切り欠きＣ１１が形成されている。尚、第４下フラップＦｕ４にて辺Ｌ４に垂直な一対の辺の長さは、第２下フラップＦｕ２にて辺Ｌ２に垂直な一対の辺の長さよりも短くなっている。
【００４８】
更に、第２下フラップＦｕ２の切り欠きＣ１０と第４下フラップＦｕ４の切り欠きＣ１１とは、本梱包箱１を組み立てた際に、一直線上に並んで連続するようになっている。
次に、第１〜第４上フラップＦｏ１〜Ｆｏ４について説明する。
【００４９】
第１上フラップＦｏ１は、第１側壁部Ｓ１の上辺Ｌ５と、その辺Ｌ５に平行で且つ同じ長さの辺と、それら２つの辺に垂直で且つそれらよりも短い一対の辺と、からなる長方形に形成されている。
【００５０】
そして、第３上フラップＦｏ３は、第１上フラップＦｏ１と合同である。
また、第２上フラップＦｏ２は、第２側壁部Ｓ２の上辺Ｌ６に連接し上蓋部の一部となる長方形の上蓋部形成部２７と、該上蓋部形成部２７から更に先側に延び、梱包箱１の組立状態において、支持部材９と嵌合して該支持部分９の表面（図４における前面）を２つに仕切る仕切り部分２９とから形成されている。
【００５１】
そして、第４上フラップＦｏ４は、第４側壁部Ｓ４の上辺Ｌ８と、その辺Ｌ８に平行で且つ同じ長さの辺と、それら２つの辺に垂直で且つそれらよりも短い一対の辺と、からなる長方形に形成されている。
【００５２】
更に、第１，第３，第４上フラップＦｏ１，Ｆｏ３，Ｆｏ４にて側壁部Ｓ１，Ｓ３，Ｓ４の上辺Ｌ５，Ｌ７，Ｌ８に垂直な辺の長さは、それら３つの上フラップＦｏ１，Ｆｏ３，Ｆｏ４で等しいと共に、第２上フラップＦｏ２の上蓋部形成部２７にて辺Ｌ６に垂直な一対の辺の長さよりも長くなっている。
【００５３】
次に、支持部材９について図１，図４及び図５を用い説明する。尚、図５は、支持部材９の組立状態を表す斜視図である。
図１及び図５に示すように、支持部材９は、底部７の外形よりも小さい板状の土台部３１と、土台部３１の側辺のうちの３辺Ｌ３１，Ｌ３３，Ｌ３２に立設された略長方形の第１〜第３側面部３３，３５，３７と、土台部３１を底部７から浮かせた状態に支持する一対の脚部３９，４１と、水栓本体Ｗ１を支持する第１支持部４３と、吐水制御装置Ｗ２を支持する第２支持部４５と、水栓本体Ｗ１の付属品である吐水口部Ｗ３の口部を支持する第３支持部４７と、吐水口部Ｗ３に接続されているホースＷ３ａを支持する第４支持部４９と、吐水口部Ｗ３の先端を支持する略長方形の第５支持部５１と、水栓本体Ｗ１の付属品である金具Ｗ４を収納する部屋を形成する部屋形成部５３と、水栓本体Ｗ１の付属品である電池Ｗ５を収納する部屋を土台部３１上に形成する仕切り部５５とを備えている。
【００５４】
そして、土台部３１は、図４に示すように、互いに平行な辺Ｌ３１，Ｌ３２と、辺Ｌ３１及び辺Ｌ３２に垂直な一対の辺Ｌ３３，Ｌ３４とを備えている。
また、土台部３１には、辺Ｌ３１に第１側面部３３が連接しており、辺Ｌ３３に第２側面部３５が連接しており、辺Ｌ３２に第３側面部３７が連接している。そして更に、土台部３１の辺Ｌ３４に脚部４１が連接している。
【００５５】
そして、土台部３１の四隅のうち、第１側面部３３と脚部４１とに挟まれた隅が、部屋形成部５３となっており、その隅（即ち、部屋形成部５３）を折目Ｌ３５で折り曲げることができるように、該部屋形成部５３が所有する辺Ｌ３１，Ｌ３４が切目となっている。
【００５６】
また、土台部３１には、第１〜第３支持部４３，４５，４７が形成されていると共に、それを折目Ｌ３６〜Ｌ４０で折り曲げることができるように切目や切り欠き穴が形成されている。
【００５７】
そして、第１支持部４３には、梱包箱１を組み立てた状態において、上述の第２上フラップＦｏ２の仕切り部分２９の一部が嵌合するための切り欠きＣ１２が形成されている。
また、第１側面部３３にて、辺Ｌ３１に垂直な一対の辺のうちの第２側面部３５側の辺Ｌ４１には、吐水口部Ｗ３の先端を支持する第５支持部５１が連接されている。そして、第５支持部５１の第１側面部３３側の両端とは反対側の両端のうち、第２側面部３５側の端５７が第２側面部３５側へ突出しており、該端５７が土台部３１の辺Ｌ３１に形成された切り欠き穴Ｃ１３に入り込むようになっている。
【００５８】
一方、第２側面部３５の辺Ｌ３３に垂直な一対の辺のうち、第３側面部３７側の辺Ｌ４２には、仕切り部５５が連接されている。そして、第２側面部３５にて辺Ｌ３３に平行な辺Ｌ４３には、脚部３９が連接されている。
【００５９】
また、土台部３１，第２側面部３５及び脚部３９には、土台部３１の辺Ｌ３３側の部分から脚部３９の中央部分にかけて、第４支持部４９が形成されており、該第４支持部４９を、辺Ｌ３３に垂直な折目Ｌ４４及び辺Ｌ４３で折り曲げることができるように切目が形成されている。
【００６０】
そして、第４支持部４９の中央部分には、吐水口部Ｗ３のホースＷ３ａが入り込むための切り欠き穴Ｃ１４が形成されている。
そして更に、土台部３１の第４支持部４９付近には、支持部材９を組み立てた図５に示す状態において、第４支持部４９が土台部３１内に入り込むと共に、該第４支持部４９が土台部３１に対して立設している状態を保持する切り欠き穴Ｃ１５が形成されている。
【００６１】
次に、展開状態にある梱包箱１を、組み立てる手順について説明する。尚、以下の説明において、図３及び図４の展開状態における本体側シート材Ａの表面及び支持部材９の表面（即ち、図３及び図４における前面）が、凸となるように折り曲げることを「山折り」ともいい、逆に、凹となるように折り曲げることを「谷折り」ともいう。
【００６２】
まず、図３に示す展開状態にある本体側シート材Ａの接合代１１と、第４側壁部Ｓ４にて梱包箱１の中側となる面であって、第３側壁部Ｓ３側とは反対側の辺の部分とを接着剤で接合することで、第１〜第４側壁部Ｓ１〜Ｓ４が角筒状となり、図１に示す梱包箱１の四方の側壁が形成される。
【００６３】
続いて、底部７及び保持部５を作成し、作成された保持部５に水栓本体Ｗ１及び吐水制御装置Ｗ２を載置して保持させる。更に、図５の如く所定の形状に折り曲げた支持部材９を保持部５に載置して、支持部材９に残りの付属品Ｗ３〜Ｗ６を載置することで図１に示す組立状態となる。また更に、上蓋部を作成することで、湯水混合水栓セットＷ１〜Ｗ６を出荷する状態の梱包箱１が完成する。
【００６４】
次に、底部７及び保持部５を作成する手順について説明する。
まず、第２，第４下フラップＦｕ２，Ｆｕ４を第２，第４側壁部Ｓ２，Ｓ４の各下辺Ｌ２，Ｌ４で山折りにする（即ち、箱体３の中側方向へ折り曲げる）。すると、第２下フラップＦｕ２の切り欠きＣ１０と、第４下フラップＦｕ４の切り欠きＣ１１とが、一直線上に並んで連続することとなる。
【００６５】
次いで、第１下フラップＦｕ１を第１側壁部Ｓ１の下辺Ｌ１で山折りにすると共に、底部形成部１３の辺Ｌ９でも山折りにして、保持部形成部１５を、一直線上に連続して並んだ第２，第４下フラップＦｕ２，Ｆｕ４の切り欠きＣ１０，Ｃ１１から箱体３の内部へ入れ込む。すると、図６に示す状態となる。
【００６６】
そして、図６に示す状態から、第３下フラップＦｕ３も同様に折り曲げて、第３下フラップＦｕ３の保持部形成部２３を、箱体３の内部に入り込んだ第１下フラップＦｕ１の保持部形成部１５に重ねるようにして、第２，第４下フラップＦｕ２，Ｆｕ４の切り欠きＣ１０，Ｃ１１から箱体３の内部に入れ込む。
【００６７】
更に、この切り欠きＣ１０，Ｃ１１から箱体３の内部に入り込んだ第１下フラップＦｕ１の保持部形成部１５を、図７の如く折り曲げ線Ｔ１で山折りにすると、該保持部形成部１５の辺Ｌ１０側の端が、第１側壁部Ｓ１の下辺Ｌ１付近まで延びた状態となる。また、この際に、第１下フラップＦｕ１の上記第１部分１７を折目Ｌ１３で山折りにすると共に、第２部分１９を折目Ｌ１４，Ｌ１５で山折りにして、第２部分１９の先端を保持部形成部１５の下側へ入れ込む。
【００６８】
そして、第１下フラップＦｕ１の保持部形成部１５と共に箱体３の内部に入り込んだ第３下フラップＦｕ３の保持部形成部２３も、同様にして折り曲げる。すると、第１下フラップＦｕ１の保持部形成部１５と同様に、第３下フラップＦｕ３の辺Ｌ１７側の端が、第３側壁部Ｓ３の下辺Ｌ３付近まで延びた状態となる。
【００６９】
このようにして、底部７及び保持部５を作成することができる。即ち、第１，第３下フラップＦｕ１，Ｆｕ３の底部形成部１３，２１、及び第２，第４下フラップＦｕ２，Ｆｕ４により底部７が形成され、第１，第３下フラップＦｕ１，Ｆｕ３の保持部形成部１５，２３により保持部５が形成されることとなる。
【００７０】
そして、この状態では、保持部形成部１５，２３の折り曲げ線Ｔ１，Ｔ２よりも底部形成部１３，２１側の部分同士が、箱体３の内部で互いに重なるようになっており、更に、第３下フラップＦｕ３の切目Ｌ１８，Ｌ１９と第１下フラップＦｕ１の切目Ｌ１１，Ｌ１２、または、第３下フラップＦｕ３の切り欠き穴Ｃ５，Ｃ６と第１下フラップＦｕ１の切り欠き穴Ｃ１，Ｃ２が、箱体３の内部で連続した状態になることとなる。
【００７１】
尚、上述したように保持部５を作成してから、切り欠き穴Ｃ１，Ｃ５，Ｃ７及び切目Ｌ２０からなる収納部に水栓本体Ｗ１の２つの脚部分のうちの一方を入れ込むと共に、該脚部分のうちの他方を切り欠き穴Ｃ２，Ｃ６，Ｃ８及び切目Ｌ２１からなる収納部に入れ込むことで、図２の如く、保持部５が水栓本体Ｗ１を保持している状態となる。そして更に、第１下フラップＦｕ１の２つの切目Ｌ１１，Ｌ１２同士に挟まれた部分及び切り欠き穴Ｃ４と、第３下フラップＦｕ３の２つの切目Ｌ１８，１９同士に挟まれた部分及び切り欠き穴Ｃ９と、からなる収納部に吐水制御装置Ｗ２を入れ込むことで、吐水制御装置Ｗ２も保持部５に保持されることとなる。
【００７２】
次に、図４に示す展開状態にある支持部材９を図５に示す組立状態に組み立てる手順について説明する。
まず、図４に示す展開状態にある支持部材９の脚部４１を辺Ｌ３４で山折りにする。
【００７３】
次いで、脚部３９を、該脚部３９の裏面が第２側面部３５の裏面に当接するように辺Ｌ４３で山折りにする。続いて、仕切り部５５を辺Ｌ４２で谷折りにする。
そして、第２側面部３５を辺Ｌ３３で谷折りにしてから、第４支持部４９が切り欠き穴Ｃ１５に引っ掛かるまで、第４支持部４９を折目Ｌ４４で切り欠き穴Ｃ１５側へ折り曲げる。すると、第２側面部３５，脚部３９，第４支持部４９及び仕切り部５５が土台部３１で立設状態を保持することとなる。
【００７４】
そして、第５支持部５１を、それの表面が第１側面部３３の表面に当接するように辺Ｌ４１で谷折りにする。次いで、第１側面部３３を辺Ｌ３１で谷折りにして、第５支持部５１の端５７を切り欠き穴Ｃ１３に入れる。
【００７５】
続いて、第３側面部３７を辺Ｌ３２で谷折りにする。これにより、第３側面部３７と脚部３９と仕切り部５５とによって囲まれた部屋が、土台部３１上に形成され、この部屋に上記電池Ｗ５が収納されることとなる。
【００７６】
次いで、第１〜第３支持部４３，４５，４７を各折目Ｌ３６，Ｌ３７，Ｌ３８，Ｌ３９，Ｌ４０で谷折りにすると共に、部屋形成部５３を折目Ｌ３５で山折りにすることで、図５に示す組立状態の支持部材９となる。
【００７７】
そして、保持部５が水栓本体Ｗ１及び吐水制御装置Ｗ２を保持している状態の箱体３に、上述の如く組み立てた支持部材９を、箱体３の開口側から脚部３９，４１の先端が底部７に当接するまで入れ込む。このとき、支持部材９の第１側面部３３が箱体３の第４側壁部Ｓ４側になるようにすると共に、第３側面部３７を箱体３の第２側壁部Ｓ２側になるようにして、支持部材９を箱体３の内部に入れ込む。すると、第１，第２支持部４３，４５が、水栓本体Ｗ１及び吐水制御装置Ｗ２を、保持部５と共に支持することとなる。
【００７８】
更に、箱体３内に入り込んだ支持部材９の第４支持部４９の切り欠き穴Ｃ１４によって形成された載置部に吐水口部Ｗ３のホースＷ３ａを載せ、第３支持部４７に吐水口部Ｗ３の口部を当接させると共に、第５支持部５１に吐水口部Ｗ３の先端を当接させることで、第３〜第５支持部４７，４９，５１が、吐水口部Ｗ３を支持することとなる。尚、図示していないが、吐水口部Ｗ３には、ホースＷ３ａ以外にも電線が接続されており、上記載置部は、ホースＷ３ａと共に電線も載置するようになっている。
【００７９】
そして、このように箱体３内に支持部材９が入れられている状態では、箱体３の四隅のうち、第３側壁部Ｓ３と第４側壁部Ｓ４とが連なっている側の隅に、部屋形成部５３と第３側壁部Ｓ３と第４側壁部Ｓ４とに囲まれた部屋が形成されることとなり、この部屋に上記金具Ｗ４が収納されることとなる。
【００８０】
また、この状態で、土台部３１の四隅のうち、第２側壁部Ｓ２と第３側壁部Ｓ３とが連なっている側の隅には、水栓本体Ｗ１の付属品である部材Ｗ６が載置されるようになっている。
【００８１】
次に、上蓋部を作成する手順について説明する。
上述した湯水混合水栓セットＷ１〜Ｗ６が箱体３内に収納されている状態で、まず、第２上フラップＦｏ２を辺Ｌ６で山折りにすると共に、仕切り部分２９を、上蓋部形成部２７との境界線で山折りにして、仕切り部分２９の一部を第１支持部４３の切り欠きＣ１２に嵌め込む。すると、支持部材９に載置されている部材Ｗ６は、仕切り部分２９と第２側壁部Ｓ２との間の部分に閉じ込められることとなり、梱包箱１を輸送する際に、当該部材Ｗ６が箱体３の内部でむやみに動くことがなくなる。
【００８２】
次いで、第４上フラップＦｏ４を辺Ｌ８で山折りにして、更に第１，第３上フラップＦｏ１，Ｆｏ３を、辺Ｌ５，Ｌ７で山折りにする。そして、第１上フラップＦｏ１の辺Ｌ５側とは反対側の端と、第３上フラップＦｏ３の辺Ｌ７側とは反対側の端とに、例えば粘着テープを貼り付けることで、上蓋部を作成する（上蓋を封緘する）ことができる。
【００８３】
以上のような梱包箱１によれば、保持部５は、第１，第３下フラップＦｕ１，Ｆｕ３の一部である保持部形成部１５，２３からなっているため、部品点数を削減することができる。
【００８４】
また、保持部形成部１５，２３を第２，第４下フラップＦｕ２，Ｆｕ４の切り欠きＣ１０，Ｃ１１から箱体３の内部に入れ込むだけで簡単に底部７を作成することができるため、底部７を作成する際に、粘着テープやホッチキス等の接着部材を用いなくても良い。しかも、第２、第４下フラップＦｕ２，Ｆｕ４の切り欠きＣ１０，Ｃ１１から箱体３の内部に入り込んだ保持部形成部１５，２３は、第１部分１７，２４が折り曲げられるようになっているので、切り欠きＣ１０，Ｃ１１から保持部形成部１５，２３が簡単に抜けてしまうことがない。
【００８５】
また更に、保持部５が保持する水栓本体Ｗ１及び吐水制御装置Ｗ２の重量を、保持部形成部１５，２３の先端によって底部７の端（即ち、底部７にて第１，第３側壁部Ｓ１，Ｓ３の下辺Ｌ１，Ｌ３付近側）の方に分散させることができるので、その重量が底部７の中央に集中してしまうことを抑制することができ、より重量の大きい商品を収納することができる。
【００８６】
しかも、本梱包箱１では、保持部形成部１５，２３の各々に折り曲げ線Ｔ１，Ｔ２が一本ずつ形成されているので、保持部５となった各保持手段形成部１５，２３の形状は、第２，第４側壁部Ｓ２，Ｓ４側から見ると三角形となる。そして、保持部５に水栓本体Ｗ１及び吐水制御装置Ｗ２を載置して保持させた場合、保持部５では、その水栓本体Ｗ１及び吐水制御装置Ｗ２の重量によって、各保持部形成部１５，２３同士が互いに支え合うと共に各保持手段形成部１５，２３の先端が第１，第３側壁部Ｓ１，Ｓ３に当接することとなる。
【００８７】
このため、湯水混合水栓セットＷ１〜Ｗ６を収納した梱包箱１を輸送する際に生じる保持部５の横揺れが少なくなり、保持された水栓本体Ｗ１及び吐水制御装置Ｗ２の安定性を良くすることができる。
【００８８】
尚、本実施形態では、保持部５が保持手段に相当し、保持部形成部１５，２３が保持手段形成部に相当し、第１〜第４下フラップＦｕ１〜Ｆｕ４が第１〜第４フラップに相当する。
【００８９】
以上、本発明の一実施形態について説明したが、本発明は、種々の形態を採り得ることは言うまでもない。
本実施形態の梱包箱１では、湯水混合水栓セットＷ１〜Ｗ６を収納していたが、それに限らず、収納する商品の形状に合わせて保持部形成部１５，２３及び支持部材９の切り欠き穴及び切目の形状を変えれば、何でも収納することができる。
【００９０】
また、梱包箱１の材質は、段ボール紙に限らず、例えば、可撓性のあるプラスチックや厚紙などを用いても良い。
【図面の簡単な説明】
【００９１】
【図１】湯水混合水栓セットを収納した状態における本梱包箱の斜視図である。
【図２】保持部が箱体の内部で水栓本体及び吐水制御装置を保持している状態を説明する説明図である。
【図３】本体側シート材の平面図である。
【図４】支持部材の展開状態における平面図である。
【図５】支持部材の組立状態を表す斜視図である。
【図６】本梱包箱の底部を作成する手順を説明する説明図である。
【図７】同梱包箱の保持部を作成する手順を説明する説明図である。
【符号の説明】
【００９２】
１…梱包箱、３…箱体、５…保持部、７…底部、９…支持部材、１３，２１…底部形成部、１５，２３…保持部形成部、Ａ…本体側シート材、Ｃ１０〜Ｃ１２…切り欠き、Ｓ１〜Ｓ４…第１〜第４側壁部、Ｆｕ１〜Ｆｕ４…第１〜第４下フラップ、Ｆｏ１〜Ｆｏ４…第１〜第４上フラップ、Ｌ１〜Ｌ４…第１〜第４側壁部の下辺、Ｌ５〜Ｌ８…第１〜第４側壁部の上辺、Ｔ１，Ｔ２…折り曲げ線、Ｗ１〜Ｗ６…湯水混合水栓セット
【図１】
2005263289.tif 000003
【図２】
2005263289.tif 000004
【図３】
2005263289.tif 000005
【図４】
2005263289.tif 000006
【図５】
2005263289.tif 000007
【図６】
2005263289.tif 000008
【図７】
2005263289.tif 000009